(57)【特許請求の範囲】
【請求項１】
空気の吸込み口及び吹出し口を有する筐体内に送風機及び加熱器を備え、該送風機の動作によって前記吸込み口から吸込んだ空気を前記加熱器によって加熱して前記吹出し口から吹出す送風装置において、
前記加熱器よりも上流側に導入口を有し、該導入口から導入された空気を、前記筐体の内面に沿って前記吸込み口側へ戻す戻し風路を備えること
を特徴とする送風装置。
【請求項２】
イオンを発生させるイオン発生器を前記筐体内に備え、
前記戻し風路は、該イオン発生器よりも下流側に開設された第２の導入口を更に有すること
を特徴とする請求項１に記載の送風装置。
【請求項３】
前記吸込み口から吸込まれた空気が通過する開口を有する覆板を前記送風機よりも上流側に備え、
前記戻し風路の導出口は、前記覆板の上流側に開設されていること
を特徴とする請求項２に記載の送風装置。
【請求項４】
前記送風機よりも上流側に、前記吸込み口から吸込まれた空気が通過するフィルタを備え、
前記戻し風路の導出口は、該フィルタの上流側に開設されていること
を特徴とする請求項２又は請求項３に記載の送風装置。
【請求項５】
前記戻し風路は、前記導入口から前記吹出し口側に延びて、前記吸込み口側に折り返されていること
を特徴とする請求項１から請求項４のいずれか１つに記載の送風装置。
【請求項６】
前記筐体は筒状をなし、
該筐体内に配置され、該筐体との間に前記戻し風路を形成する筒体を備えること
を特徴とする請求項１から請求項５のいずれか１つに記載の送風装置。
【請求項７】
前記吸込み口の周縁部に設けられた差込み部と、
該差込み部に一部が差込まれ、前記筐体を支持することが可能な差込み部材と
を備えることを特徴とする請求項１から請求項６に記載の送風装置。
【発明の詳細な説明】
【技術分野】
【０００１】
本発明は、筐体の吸込み口から吸込んだ空気を加熱し、加熱した空気を該筐体の吹出し口から吹出す送風装置に関する。
【背景技術】
【０００２】
温風を吹出して人間の頭髪を乾燥させる送風装置、所謂ドライヤーが広く普及している（例えば、特許文献１を参照）。
特許文献１に記載の送風装置は筒状のハウジング（筐体）を備え、ハウジングの端面夫々に空気の吸込み口及び吹出し口が設けられている。ハウジングの中に送風機及び加熱器が配置されている。送風機及び加熱器は、吸込み口側から吹出し口側に向かって順に配置されている。
【０００３】
送風機の動作によって、吸込み口から空気がハウジング内に吸込まれ、吹出し口から空気を吹出される。加熱器は送風機の動作によってハウジング内に吸込まれた空気を加熱する。これにより、加熱された空気が吹出し口から吹出される。また、網体を通じて空気がハウジング内に吸込まれる。網体は、フィルタとして機能し、髪の毛、埃等の異物がハウジング内に侵入することを防止する。
【先行技術文献】
【特許文献】
【０００４】
【特許文献１】特許第４４１０３０９号公報
【発明の概要】
【発明が解決しようとする課題】
【０００５】
加熱器は、例えば電熱線を有し、電熱線に電力を供給して電熱線を発熱させることによって空気を加熱する。加熱器の電熱線は、送風機の動作によってハウジング内に吸込まれた空気と熱を交換する。これにより、空気は加熱される。
【０００６】
特許文献１に記載されているような送風装置において、網体に異物が付着した場合、加熱器の電熱線を通流する空気の量が不足し、加熱器の電熱線が交換する熱の量が低下する。このとき、単位時間当たりの電熱線の発熱量は維持されているため、加熱器の温度は上昇する。
【０００７】
加熱器の温度が上昇した場合、加熱器からハウジングへ熱が伝わり、ハウジングの温度も上昇する。ハウジングは使用者によって接触される可能性がある。このため、特許文献１に記載されているような送風装置では、ハウジングの温度上昇を抑制する必要がある。
【０００８】
本発明は斯かる事情に鑑みてなされたものであり、その目的とするところは、筐体の温度上昇を抑制することができる送風装置を提供することにある。
【課題を解決するための手段】
【０００９】
本発明に係る送風装置は、空気の吸込み口及び吹出し口を有する筐体内に送風機及び加熱器を備え、該送風機の動作によって前記吸込み口から吸込んだ空気を前記加熱器によって加熱して前記吹出し口から吹出す送風装置において、前記加熱器よりも上流側に導入口を有し、該導入口から導入された空気を、前記筐体の内面に沿って前記吸込み口側へ戻す戻し風路を備えることを特徴とする。
【００１０】
本発明に係る送風装置は、イオンを発生させるイオン発生器を前記筐体内に備え、前記戻し風路は、該イオン発生器よりも下流側に開設された第２の導入口を更に有することを特徴とする。
【００１１】
本発明に係る送風装置は、前記吸込み口から吸込まれた空気が通過する開口を有する覆板を前記送風機よりも上流側に備え、前記戻し風路の導出口は、前記覆板の上流側に開設されていることを特徴とする。
【００１２】
本発明に係る送風装置は、前記送風機よりも上流側に、前記吸込み口から吸込まれた空気が通過するフィルタを備え、前記戻し風路の導出口は、該フィルタの上流側に開設されていることを特徴とする。
【００１３】
本発明に係る送風装置は、前記戻し風路は、前記導入口から前記吹出し口側に延びて、前記吸込み口側に折り返されていることを特徴とする。
【００１４】
本発明に係る送風装置は、前記筐体は筒状をなし、該筐体内に配置され、該筐体との間に前記戻し風路を形成する筒体を備えることを特徴とする。
【００１５】
本発明に係る送風装置は、前記吸込み口の周縁部に設けられた差込み部と、該差込み部に一部が差込まれ、前記筐体を支持することが可能な差込み部材とを備えることを特徴とする。
【発明の効果】
【００１６】
本発明によれば、ハウジングの温度上昇を抑制することができる。
【図面の簡単な説明】
【００１７】
【図１】実施の形態１における送風装置の外観図である。
【図２】送風装置の部分断面図である。
【図３】３つの筒体の位置関係の説明図である。
【図４】吸込み口側から見た送風装置の外観図である。
【図５】送風装置の一部分を示す斜視図である。
【図６】送風装置の収納の説明図である。
【図７】送風装置の使用例の説明図である。
【図８】実施の形態２における送風装置の部分断面図である。
【図９】実施の形態３における送風装置の部分断面図である。
【図１０】実施の形態４における送風装置の一部分を示す斜視図である。
【図１１】実施の形態５における送風装置の使用例の説明図である。
【発明を実施するための形態】
【００１８】
以下、本発明をその実施の形態を示す図面に基づいて詳述する。
（実施の形態１）
図１は実施の形態１における送風装置の外観図である。送風装置１は円筒状のハウジング１０を備えるドライヤーである。ハウジング１０の周面の外側には、棒状のグリップ１１の一端部がヒンジによって接続されている。ヒンジが用いられているため、グリップ１１の姿勢は、ハウジング１０に対して立ち上がっている姿勢、又は、ハウジング１０に沿っている姿勢（図６参照）に変更することができる。
【００１９】
グリップ１１には電源コード１２が接続されている。電源コード１２の接続部はコードブッシュ１３によって覆われている。ハウジング１０及びグリップ１１間の接続部、及び、グリップ１１夫々に、使用者が送風装置１を動作させるために用いる押ボタン式の運転切換スイッチ１４、及び、スライド式の作動／停止スイッチ１５が設けられている。
【００２０】
図２は送風装置１の部分断面図である。図２にはハウジング１０の内部が示されている。ハウジング１０には、一側端部の略全面に開口する空気の吸込み口１０ａと、他側端部の中央部に開口する空気の吹出し口１０ｂとが設けられている。更に、吸込み口１０ａからハウジング１０内への手の差込みを防止することを目的として、吸込み口１０ａは、複数の開口１６ａ，１６ａ，・・・を有する覆板１６によって覆われている。また、ハウジング１０の吹出し口１０ｂは網体１７によって覆われている。網体１７は、吹出し口１０ｂから髪の毛、埃等の異物がハウジング１０内に侵入することを防止する。
【００２１】
ハウジング１０内には、送風機２、イオン発生器３及び加熱器４が、吸込み口１０ａ側から吹出し口１０ｂ側に向けて、この順に配置されている。
送風機２は、モータ２１と、モータ２１によって回転駆動される羽根車２２を有する。羽根車２２の回転軸はハウジング１０の軸に沿っている。作動／停止スイッチ１５は、ハウジング１０側にスライドされた場合に作動を示し、作動／停止スイッチ１５がコードブッシュ１３側にスライドされた場合に停止を示す。
【００２２】
送風機２、即ち、モータ２１は、作動／停止スイッチが作動を示す場合に作動する。送風機２の動作によって、吸込み口１０ａからハウジング１０内に空気が吸込まれ、吸込まれた空気はハウジング１０内を通流し、吹出し口１０ｂから吹出される。送風機２、即ち、モータ２１は、作動／停止スイッチが停止を示す場合、動作を停止する。
【００２３】
イオン発生器３は、送風機２と同様に、作動／停止スイッチ１５が作動を示す場合に作動し、イオン、具体的には、正イオン及び負イオンを発生させる。イオン発生器３が発生させたイオンは、送風機２の動作によってハウジング１０内を通流する空気に含まれ、イオンを含む空気が吹出し口１０ｂから吹出される。イオンが付着した箇所には帯電が防止される。例えば、イオンを含む空気が例えば髪の毛に吹き付けられた場合、イオンが髪の毛に付着し、髪の毛での静電気の発生を防ぐ。イオン発生器３は、送風機２と同様に、作動／停止スイッチ１５が停止を示す場合、イオン発生器３はイオンの発生を停止する。
【００２４】
加熱器４は複数の電熱線を有する。運転切換スイッチ１４がオンである状態で作動／停止スイッチ１５が作動を示す場合に、加熱器４が有する複数の電熱線に電力が供給される。これにより、複数の電熱線は発熱し、ハウジング１０内を通流する空気と熱を交換する。加熱器４との熱交換によって、吸込み口１０ａから吸込まれた空気が加熱され、温風が吹出し口１０ｂから吹出される。運転切換スイッチ１４がオフである状態で作動／停止スイッチ１５が作動を示す場合、送風機２が作動して加熱器４は動作を停止しているため、冷風が吹出し口１０ｂから吹出される。
【００２５】
送風装置１の特徴は、ハウジング１０内に、空気を吹出し口１０ｂ側から吸込み口１０ａ側へ戻す戻し風路が設けられていることである。以下ではこの特徴について説明する。
ハウジング１０内には筒体５０，５１，５２が配置されている。
【００２６】
図３は３つの筒体５０，５１，５２の位置関係の説明図である。筒体５０，５１，５２夫々は円筒状をなし、筒体５０，５１，５２夫々の両端面は開放されている。筒体５１，５２は、同軸をなして軸長方向に並び、筒体５０内に同軸をなして配置されている。筒体５０は、筒体５１，５２夫々について、全長に亘って外側を覆っている。筒体５１は筒体５２よりも大径であり、筒体５１，５２の間には軸長方向及び径方向の隙間（導入口５３）が形成されている。
【００２７】
図２に示すように、筒体５０は、ハウジング１０内に同軸をなして配置されている。このとき、筒体５１が吸込み口１０ａ側に位置し、筒体５２が吹出し口１０ｂ側に位置している。筒体５０は筒体５１，５２よりも大径であり、ハウジング１０は筒体５０よりも大径である。これにより、筒体５０，５２の間に、導入口５３に連通する環状の第１風路が形成され、ハウジング１０及び筒体５０の間に環状の第２風路が形成されている。
【００２８】
吹出し口１０ｂの周縁部と筒体５２との間に、第１風路に連通する隙間（導入口５４）が形成されている。吹出し口１０ｂの周縁部と筒体５０との間にも隙間が形成されており、これにより、第１風路及び第２風路が連通している。また、吸込み口１０ａの周縁部と筒体５０の間に、第２風路に連通する隙間（導出口５５）が形成されている。
【００２９】
送風機２は筒体５１に支持され、イオン発生器３及び加熱器４は筒体５２に支持されている。ハウジング１０の吸込み口１０ａに対向する筒体５０の開放面は網体１８によって覆われている。
【００３０】
送風装置１では、送風機２の動作によって、空気が覆板１６の複数の開口１６ａ，１６ａ，・・・を通じて、吸込み口１０ａからハウジング１０内に吸込まれる。更に、吸込み口１０ａから吸込まれた空気は、網体１８を介して筒体５１，５２内を順に通流し、筒体５２内を通流した空気は網体１８を通過して吹出し口１０ｂから吹出される。イオン発生器３が発生させたイオンは、筒体５２内を通流する空気に含まれ、加熱器４は筒体５２内を通流する空気を加熱する。網体１８は、フィルタとして機能し、ハウジング１０内に髪の毛、埃等の異物が侵入することを防止する。
【００３１】
送風機２の動作により、筒体５１内を流れる空気の一部は、導入口５３から、筒体５０，５２の間に形成されている第１風路内に導入され、第１風路を吹出し口１０ｂ側に向けて流れる。また、送風機２の動作により、筒体５２を流れる空気の一部は、導入口５４から第１風路に導入され、導入口５３から導入されて第１風路を流れる空気と合流する。合流した空気は、ハウジング１０及び筒体５０の間に形成された第２風路を、吹出し口１０ｂ側から吸込み口１０ａ側に通流する。第２風路では、ハウジング１０の内面に沿って空気が通流する。第２風路を通流した空気は導出口５５から導出されて、網体１８を通じて筒体５１内を通流する。
【００３２】
以上のように、第１風路及び第２風路は、導入口５３から導入された空気を、ハウジング１０の内面に沿って吸込み口１０ａ側に戻す戻し風路を構成する。前述した内容からわかるように、戻し風路の導入口５３は、送風機２の下流側であって、加熱器４の上流側に開設されている。戻し風路の導入口５４はイオン発生器３及び加熱器４の下流側に開設されている。網体１８は送風機２よりも上流側に設けられている。戻し風路の導出口５５は、網体１８の上流側に開設されている。また、戻し風路は、導入口５３から吹出し口１０ｂ側に延びて、ハウジング１０内の吹出し口１０ｂ近傍において、吸込み口１０ａ側に折り返されている。
【００３３】
以上のように構成された送風装置１では、導入口５３から導入された空気は、加熱器４によって加熱されていない状態で戻し風路を通流するため、使用者が接触する可能性があるハウジング１０の温度上昇が抑制される。更に、戻し風路は、導入口５３から吹出し口１０ｂ側に延びて、吸込み口１０ａ側に折り返され、ハウジング１０の周面全体に、導入口５３から導入された非加熱の空気が接触する。このため、ハウジング１０の広い領域の温度上昇が抑制される。
【００３４】
また、送風機２が作動している場合、イオン発生器３も作動している。このため、導入口５４から戻し風路に導入された空気には、イオン発生器３が発生させたイオンが含まれている。導入口５３，５４夫々から導入された空気は、ハウジング１０及び筒体５０によって形成されている第２風路を吸込み口１０ａ側に向かって通流し、導出口５５から導出される。このため、イオンはハウジング１０の吸込み口１０ａ側に設けられている周辺部材に接触する。イオンが付着した箇所は帯電しにくいため、吸込み口１０ａ側の周辺部材に付着する異物の数は少ない。
【００３５】
導出口５５から導出された空気は網体１８に当たる。このため、イオンは網体１８にも付着し、網体１８に付着する髪の毛又は埃等の異物の数も少ない。このため、網体１８は目詰まりしにくく、ハウジング１０内を通流する空気の量が十分に維持される。これにより、加熱器４の温度上昇が抑制される。
【００３６】
図４は吸込み口１０ａ側から見た送風装置１の外観図である。前述したように、ハウジング１０の吸込み口１０ａは、ハウジング１０内への手の差込みを防止することを目的として、複数の開口１６ａ，１６ａ，・・・を有する覆板１６によって覆われている。覆板１６の周縁部では、更に複数の開口１６ａ，１６ａ，・・・の形成域の外側に３つの差込み口１６ｂ，１６ｂ，１６ｂが設けられている。２つの差込み口１６ｂ，１６ｂは、覆板１６のグリップ１１側において、ハウジング１０に対して立っている状態のグリップ１１の長手方向と垂直となる方向に並設されている。もう１つの差込み口１６ｂは、前述した２つの差込み口１６ａよりもグリップ１１から遠い位置に設けられている。
【００３７】
図５は送風装置１の一部分を示す斜視図である。３つの差込み口１６ａ，１６ａ，１６ａ夫々には、３つの差込み部材６０，６０，６０の一部が差込まれる。
差込み部材６０は、柱体６０ａと、柱体６０ａの一端面から突出し、柱体６０ａと略同軸をなす柱状の突出部６０ｂと、柱体６０ａの他端面から突出し、柱体６０ａと同軸をなす柱状の突出部６０ｃとを有する。突出部６０ｂ，６０ｃのいずれか一方が差込み口１６ｂに差込まれる。これにより、差込み部材６０が覆板１６に取付けられる。突出部６０ｂ，６０ｃ夫々の突出長は互いに異なっている。
図１には、突出部６０ｂが差込み口１６ｂ，１６ｂ，１６ｂ夫々に差込まれている差込み部材６０，６０，６０が示されている。
【００３８】
図６は送風装置１の収納の説明図である。差込み部材６０，６０，６０夫々の突出部６０ｂを差込み口１６ｂ，１６ｂ，１６ｂに差込み、グリップ１１の姿勢をハウジング１０に沿っている姿勢に変更する。この状態で、差込み部材６０，６０，６０の端面が載置台Ｐ１に対向するように、送風装置１を置くことができる。このように、差込み部材６０，６０，６０にハウジング１０を支持させることによって、送風装置１を狭い空間に収容することができる。差込み部材６０，６０，６０夫々の突出部６０ｃを差込み口１６ｂ，１６ｂ，１６ｂに差込んでいる場合においても、同様に、送風装置１を載置台Ｐ１に置くことができ、狭い空間に収容することができる。
【００３９】
図７は送風装置１の使用例の説明図である。図７には、差込み部材６０，６０夫々の突出部６０ｂを、グリップ１１側の差込み口１６ｂ，１６ｂに差込み、グリップ１１の姿勢をハウジング１０に対して立ち上がっている姿勢に変更する。この状態で、差込み部材６０，６０及びグリップ１１がハウジング１０を支持するように、送風装置１を載置台Ｐ２に置くことができる。送風装置１をこのように置いた場合、ハウジング１０の軸方向は、載置台Ｐ２の載置面に垂直な方向から傾いており、使用者は、グリップ１１を持つことなく、載置台Ｐ２の載置面に対して一定の角度で、送風装置１に空気を送風させることができる。
【００４０】
前述したように、突出部６０ｂの突出長は、突出部６０ｃの突出長と異なっている。このため、使用者は、覆板１６の差込み口１６ｂに差込む差込み部材６０の突出部を変えて、図７に示すように送風装置１を載置台Ｐ２に置くことによって、空気の吹出し角度を変更することができる。
【００４１】
差込み部材６０，６０，６０は、ゴムによって構成されていることが好ましい。この場合、差込み部材６０，６０，６０は滑り止めとしても機能するため、送風装置１を図６に示すように載置台Ｐ１に置いた場合、送風装置１は安定した状態で配置される。また、送風装置１を図７に示すように載置台Ｐ２に置いて、送風装置１を使用したときに発生するハウジング１０の振動は差込み部材６０，６０によって吸収される。このため、ハウジング１０の振動によって生じる音は小さい。
【００４２】
なお、差込み口６０及び差込み部材６０夫々の数は３に限定されず、４以上であってもよい。また、差込み口６０及び差込み部材６０夫々の数が２である場合であっても、グリップ１１側の２つの差込み口６０，６０及び２つの差込み部材６０，６０が設けられているとき、送風装置１を図７に示すように配置することができる。
【００４３】
（実施の形態２）
図８は実施の形態２における送風装置１の部分断面図である。図８には、図２と同様に、ハウジング１０の内部が示されている。
以下では、実施の形態２について、実施の形態１と異なる点を説明する。後述する構成を除く他の構成については、実施の形態１と同様であるため、同様の符号を付してその説明を省略する。
【００４４】
送風機２及びイオン発生器３は、イオン発生器３を吸込み口１０ａ側として、筒体５１に支持されている。筒体５２内には加熱器４だけがある。また、筒体５２における吹出し口１０ｂ側の端面は、吹出し口１０ｂの周縁部に当接している。
イオン発生器３は送風機２の上流側に位置し、導入口５３は送風機２及びイオン発生器３の下流側に位置する。
【００４５】
以上のように構成された送風装置１では、作動／停止スイッチ１５が作動を示した場合、送風機２及びイオン発生器３が作動し、筒体５１内を通流する空気に、イオン発生器３が発生させたイオンが含まれる。このため、導入口５３から戻し風路に導入された空気は、加熱器４によって加熱されていない空気であると共に、イオンが含まれている空気でもある。一方、筒体５２内を通流した空気、即ち、加熱器４によって加熱された空気については、全量が吹出し口１０ｂから吹出されて、戻し風路に導入されない。このため、ハウジング１０の温度上昇をより確実に防止することができる。
【００４６】
（実施の形態３）
図９は実施の形態３における送風装置１の部分断面図である。図９には、図２と同様に、ハウジング１０の内部が示されている。
以下では、実施の形態３について、実施の形態１と異なる点を説明する。後述する構成を除く他の構成については、実施の形態１と同様であるため、同様の符号を付してその説明を省略する。
【００４７】
実施の形態３における送風装置１では、覆板１６は、ハウジング１０の吸込み口１０ａではなく、筒体５０の上流側開放面を吸込み口１０ａ側から覆っており、戻し風路の導出口５５は覆板１６の上流側に開設されている。
【００４８】
以上のように構成された送風装置１では、作動／停止スイッチ１５が作動した場合、送風機２及びイオン発生器３が作動し、吸込み口１０ａから吸込まれた空気は、覆板１６の複数の開口１６ａ，１６ａ，・・・を通過した後、網体１８を介して筒体５１，５２内に順に通流する。第２風路を通流した空気は、導出口５５から導出され、覆板１６の開口１６ａ，１６ａ，・・・及び網体１８を介して筒体５１内を通流する。
【００４９】
導出口５５から導出された空気にはイオンが含まれている。このため、イオンは、覆板１６にも付着する。前述したように、イオンが付着した箇所は帯電しにくいため、覆板１６に付着する髪の毛又は埃等の異物の数が少ない。
【００５０】
なお、実施の形態２における送風装置１においても、実施の形態３と同様に、覆板１６が、網体１８によって覆われている筒体５０の開放面を吸込み口１０ａ側から覆い、導出口５５が覆板１６の上流側に開設されてもよい。この場合であっても、導出口５５から導出された空気にイオンが含まれているため、覆板１６に付着する異物の数が少ない。
【００５１】
なお、実施の形態１，２，３において、戻し風路は、導入口５３から吹出し口１０ｂ側に延びていなくてもよい。戻し風路は、導入口５３から導入された空気を、ハウジング１０の内面に沿って吸込み口１０ａ側へ戻す風路であればよい。この場合であっても、ハウジング１０の一部分における温度上昇を抑制することができる。更に、戻し風路から空気を導出する導出口５５は、網体１８の下流側に開設されてもよい。
【００５２】
（実施の形態４）
図１０は実施の形態４における送風装置１の一部分を示す斜視図である。
以下では、実施の形態４について、実施の形態１と異なる点を説明する。後述する構成を除く他の構成については、実施の形態１と同様であるため、同様の符号を付してその説明を省略する。
【００５３】
実施の形態４においては、３つの差込み部材６０，６０，６０の代わりに、２つの差込み部材７０，７１の一部が３つの差込み口１６ｂ，１６ｂ，１６ｂに差込まれる。
差込み部材７０は、柱体７０ａと、柱体７０ａの一端面から突出し、柱体７０ａと略同軸をなす柱状の突出部７０ｂとを有する。柱体７０ａの他端面は柱体７０ａの軸に対して略垂直をなす。突出部７０ｂが覆板１６の差込み口１６ｂに差込まれる。
【００５４】
差込み部材７１は、直方体状の基台７１ａと、基台７１ａの同一の一面から、該一面に垂直な方向に突出している２つの突出部７１ｂ，７１ｂを有し、２つの突出部７１ｂ，７１ｂの間隔は、覆板１６においてグリップ１１側に設けられている２つの差込み口１６ｂ，１６ｂの間隔と略同じである。突出部７１ｂ，７１ｂ夫々は、覆板１６において、グリップ１１側に設けられている差込み口１６ｂ，１６ｂに差込まれる。柱体７０ａの軸方向の長さは、柱体７１ａにおいて、突出部７１ｂ，７１ｂが設けられた一面と、該一面との距離と略同じである。
【００５５】
実施の形態４においても、実施の形態１と同様に、図６に示すような状態で送風装置１を載置台Ｐ１に置くことができる。この場合、３つの差込み部材６０，６０，６０ではなく、差込み部材７０，７１がハウジング１０を支持している。この場合も、実施の形態１と同様に狭い空間に送風装置１を収納することができる。
【００５６】
また、実施の形態１と同様に、図７に示すような状態で送風装置１を載置台Ｐ１に置くことができる。この場合、２つの差込み部材６０，６０ではなく、差込み部材７１がハウジング１０を支持している。このとき、差込み部材７１は、基台７１ａの全長でハウジング１０を支持しているので、送風装置１の姿勢はより安定している。このように送風装置１を置いた場合も、ハウジング１０の軸方向は、載置台Ｐ２の載置面に垂直な方向から傾いており、使用者は、グリップ１１を持つことなく、載置台Ｐ２の載置面に対して一定の角度で、送風装置１に空気を送風させることができる。
【００５７】
また、差込み部材７０，７１は、実施の形態１と同様にゴムによって構成されていることが好ましい。この場合、差込み部材７０，７１は滑り止めとしも機能するため、送風装置１を図６に示すように載置台Ｐ１に置いた場合、送風装置１は安定した状態で配置される。また、送風装置１を図７に示すように載置台Ｐ２に置いて、送風装置１を使用したときに発生するハウジング１０の振動は差込み部材７１によって吸収される。このため、ハウジング１０の振動によって生じる音は小さい。
【００５８】
なお、実施の形態４において、差込み部材７０の数も１に限定されず、２以上であってもよい。また、基台７１ａに設けられた突出部７１ｂの数は２に限定されず、１又は３以上であってもよい。この場合、差込み部材７０の数と、基台７１ａに設けられた突出部７１ｂの数との合計に応じた差込み口１６ｂが設けられる。
また、実施の形態４における送風装置１において、ハウジング１０内の構成は、実施の形態２における送風装置１と同様であってもよい。
【００５９】
（実施の形態５）
図１１は、実施の形態５における送風装置１の使用例の説明図である。
以下では、実施の形態５について、実施の形態１と異なる点を説明する。後述する構成を除く他の構成については、実施の形態１と同様であるため、同様の符号を付してその説明を省略する。
【００６０】
グリップ１１の姿勢がハウジング１０に対して立ち上がっている状態の送風装置１におけるグリップ１１の周面において、差込み部材６０，６０，６０と同一方向に突出するブロック状の支持脚８が取り付けられている。支持脚８はゴム製である。
【００６１】
実施の形態５においても、実施の形態１と同様に、図６に示すように、送風装置１を載置台Ｐ１に置くことができる。この場合、グリップ１１側の２つの差込み部材６０，６０と、支持脚８とがハウジング１０を支持している。支持脚８はゴム製であるため、より安定した状態でハウジング１０が支持される。このように送風装置１を置いた場合も、ハウジング１０の軸方向は、載置台Ｐ２の載置面に垂直な方向から傾いており、使用者は、グリップ１１を持つことなく、載置台Ｐ２の載置面に対して一定の角度で、送風装置１に空気を送風させることができる。
【００６２】
なお、実施の形態５における送風装置１において、ハウジング１０内の構成は、実施の形態２における送風装置１と同様であってもよい。
【００６３】
なお、実施の形態１〜５においては、差込み口１６ｂが、ハウジング１０内への手の差込みを防止することを目的として設けられた覆板１６に設けられている。しかしながら、網体１８が覆板１６の機能を兼ねている送風装置１では、吸込み口１０ａの周縁部に、差込み部材の一部が差込まれる差込み部を設けてもよい。
【００６４】
また、実施の形態１〜５において、ハウジング１０，５０，５１，５２夫々は円筒状に限定されない。ハウジング１０，５０，５１，５２夫々は、例えば、多角形の断面を有する形状であってもよい。
【００６５】
本発明に係る送風装置は、空気の吸込み口（１０ａ）及び吹出し口（１０ｂ）を有する筐体（１０）内に送風機（２）及び加熱器（４）を備え、該送風機（２）の動作によって前記吸込み口（１０ａ）から吸込んだ空気を前記加熱器（４）によって加熱して前記吹出し口（１０ｂ）から吹出す送風装置（１）において、前記加熱器（４）よりも上流側に導入口（５３）を有し、該導入口（５３）から導入された空気を、前記筐体（１０）の内面に沿って前記吸込み口（１０ａ）側へ戻す戻し風路を備えることを特徴とする。
【００６６】
本発明にあっては、送風機（２）及び加熱器（４）が筐体（１０）内に設けられている。加熱器（４）は送風機（２）の動作によって吸込み口（１０ａ）から吸込まれた空気を加熱する。加熱器（４）によって加熱された空気は吹出し口（１０ｂ）から吹出される。戻し風路では、加熱器（４）よりも上流側に開設された導入口（５３）から導入された空気は、筐体（１０）の内面に沿って吸込み口（１０ａ）側へ戻される。このため、加熱器（４）によって加熱されていない空気が筐体（１０）の内面に沿って通流するので、筐体（１０）の温度上昇が抑制される。
【００６７】
本発明に係る送風装置は、イオンを発生させるイオン発生器（３）を前記筐体（１０）内に備え、前記戻し風路は、該イオン発生器（３）よりも下流側に開設された第２の導入口（５３，５４）を更に有することを特徴とする。
【００６８】
本発明にあっては、戻し風路の第２の導入口（５３，５４）は、筐体（１０）内に設けられたイオン発生器（３）よりも下流側に開設されている。このため、イオン発生器（３）が発生させたイオンを含む空気が第２の導入口（５４）から戻し風路に導入されて戻し風路を通流し、筐体（１０）の吸込み口（１０ａ）側に設けられている周辺部材にイオンが付着する。イオンが付着した箇所は帯電しにくい。従って、吸込み口（１０ａ）側の周辺部材に付着する異物の数が少ない。
【００６９】
本発明に係る送風装置は、前記吸込み口（１０ａ）から吸込まれた空気が通過する開口（１６ａ）を有する覆板（１６）を前記送風機（２）よりも上流側に備え、前記戻し風路の導出口（５５）は、前記覆板（１６）の上流側に開設されていることを特徴とする。
【００７０】
本発明にあっては、送風機（２）よりも上流側に設けられた覆板（１６）の開口（１６ａ）を、吸込み口（１０ａ）から吸込まれた空気が通過する。そして、イオンを含む空気が通流する戻し風路の導出口（５５）は、覆板（１６）の上流側に設けられている。このため、覆板（１６）にイオンが付着し、覆板（１６）に付着する異物の数が少ない。
【００７１】
本発明に係る送風装置は、前記送風機（２）よりも上流側に、前記吸込み口（１０ａ）から吸込まれた空気が通過するフィルタ（１８）を備え、前記戻し風路の導出口（５５）は、該フィルタ（１８）の上流側に開設されていることを特徴とする。
【００７２】
本発明にあっては、送風機（２）よりも上流側に設けられたフィルタ（１８）を、吸込み口（１０ａ）から吸込まれた空気が通過する。そして、イオンを含む空気が通流する戻し風路の導出口（５５）は、フィルタ（１８）の上流側に設けられている。このため、フィルタ（１８）にイオンが付着し、フィルタ（１８）に付着する髪の毛又は埃等の異物の数は少ない。このため、フィルタ（１８）が目詰まりしにくく、筐体（１０）内を通流する空気の量が十分に維持される。これにより、加熱器（４）の温度上昇が抑制される。
【００７３】
本発明に係る送風装置は、前記戻し風路は、前記導入口（５３）から前記吹出し口（１０ｂ）側に延びて、前記吸込み口（１０ａ）側に折り返されていることを特徴とする。
【００７４】
本発明にあっては、戻し風路が、導入口（５３）から吹出し口（１０ｂ）側に延びて、吸込み口（１０ａ）側に折り返されているので、加熱器（４）によって加熱されていない空気が接触する筐体（１０）の領域が広い。このため、筐体（１０）の広い領域の温度上昇が抑制される。
【００７５】
本発明に係る送風装置は、前記筐体（１０）は筒状をなし、該筐体（１０）内に配置され、該筐体（１０）との間に前記戻し風路を形成する筒体（５０）を備えることを特徴とする。
【００７６】
本発明にあっては、筒状の筐体（１０）内に筒体（５０）が配置され、筐体（１０）及び筒体（５０）の間に戻し風路が形成されている。
【００７７】
本発明に係る送風装置は、前記吸込み口（１０ａ）の周縁部に設けられた差込み部（１６ｂ）と、該差込み部（１６ｂ）に一部が差込まれ、前記筐体（１０）を支持することが可能な差込み部材（６０，７０，７１）とを備えることを特徴とする。
【００７８】
本発明にあっては、吸込み口（１０ａ）の周縁部に設けられた差込み部（１６ｂ）に、差込み部材（６０，７０，７１）の一部が差込まれる。差込み部材（６０，７０，７１）によって筐体（１０）を支持することが可能である。差込み部材（６０，７０，７１）に筐体（１０）を支持させることによって、例えば、狭い空間に装置を収納することが可能となる。
【００７９】
開示された実施の形態１〜５はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００８０】
１  送風装置
１０ａ  吸込み口
１０ｂ  吹出し口
１０  ハウジング（筐体）
１６  覆板
１６ｂ  差込み口（差込み部）
１８  網体（フィルタ）
２  送風機
３  イオン発生器
４  加熱器
５０  筒体
５３  導入口
５４  導入口（第２の導入口）
５５  導出口
６０，７０，７１  差込み部材
【図１】
0006489933.tif 000002
【図２】
0006489933.tif 000003
【図３】
0006489933.tif 000004
【図４】
0006489933.tif 000005
【図５】
0006489933.tif 000006
【図６】
0006489933.tif 000007
【図７】
0006489933.tif 000008
【図８】
0006489933.tif 000009
【図９】
0006489933.tif 000010
【図１０】
0006489933.tif 000011
【図１１】
0006489933.tif 000012